(57)【要約】【課題】  所望の通気性と良好な外観性とが得られるとともに施工コストを低減できる軒天通気構造を提供する。【解決手段】  軒天通気構造20は、軒天23が通気胴縁22を介して前記軒天野縁21に支持され、当該軒天野縁21が下地15によって支持され、下地15の外側にあご付き窯業系軒先カバー部材17が取り付けられ、あご付き窯業系軒先カバー部材17のあご25の上面における先端25Aから基端25Bに連続するあご溝26が形成され、あご25の上面と軒天23の下面とが接触し、あご付き窯業系軒先カバー部材17の本体27と軒天23との間に隙間28が設けられている。【選択図】  図１
2005061103.tif 000002
【特許請求の範囲】
【請求項１】
軒天が通気胴縁を介して前記軒天野縁に支持され、
当該軒天野縁が下地によって支持され、
前記下地の外側にあご付き窯業系軒先カバー部材が取り付けられ、
前記あご付き窯業系軒先カバー部材のあごの上面における先端から基端に連続するあご溝が形成され、
前記あごの上面と前記軒天の下面とが接触し、
前記あご付き窯業系軒先カバー部材の本体と前記軒天との間に隙間が設けられていることを特徴とする軒天通気構造。
【請求項２】
軒天が、その上面に接触する軒天野縁を介して下地によって支持され、
前記下地の外側にあご付き窯業系軒先カバー部材が取り付けられ、
前記あご付き窯業系軒先カバー部材のあごの上面における先端から基端に連続するあご溝が形成され、
前記軒天の上面に、その一辺からそれに対向する他の辺に向かって連続する軒天溝が形成され、
前記あごの上面と前記軒天の下面とが接触し、
前記あご付き窯業系軒先カバー部材の本体と前記軒天との間に隙間が設けられていることを特徴とする軒天通気構造。
【発明の詳細な説明】
【技術分野】
【０００１】
本発明は軒天通気構造に係り、例えば、建物の屋根裏に通気性を確保することにより結露などを防止できる軒天通気構造に関する。
【背景技術】
【０００２】
図１１に示すように、従来の建物100のなかには、柱101や間材（図示せず）に防水シート102を介してたて胴縁103を取り付け、このたて胴縁103に外壁板104を取り付け、たて胴縁103の上端部103Aと、たて胴縁103の上端部103Aから一定間隔離して軒先カバー部材用下地105を配置し、この軒先カバー部材用下地105の外面に軒先カバー部材106を取り付け、軒先カバー部材用下地105の下端部105Aとたて胴縁103の上端部103Aとに軒天野縁106を取り付け、この軒天野縁106の下部に軒天107を取り付け、この軒天107の外側端107Aを軒先カバー部材106のあご108に載せるように構成したものがある。
【０００３】
ところで、従来の建物100は、例えば結露を防止するために屋根裏109の通気が必要とされている。このため、屋根裏109の容積に対して一定以上の断面積を有する通気口が設けられている。
この要求を満たすために、建物100の屋根裏109に通気を得るための軒天通気構造を備えたものがある。この軒天通気構造としては、図１２に示すように軒先カバー部材106の下部に、外壁板104に向けてあご108を張り出し、このあご108に換気口110を設けたものが知られている（例えば特許文献１参照）。
【０００４】
また、建物100の屋根裏109に通気性を確保するための軒天通気構造として、図１３に示すように軒天107に所定間隔で多数の孔111を穿孔することが広く行われている（例えば非特許文献１参照）。
【特許文献１】特開平7−29256号公報（図１）
【非特許文献１】旭硝子株式会社2003年5月発行 「外装材総合カタログ」 第179頁
【発明の開示】
【発明が解決しようとする課題】
【０００５】
しかし、特許文献１の軒天通気構造においては、あご108に換気口110を設けたために、軒先カバー部材106を押出し成形で成形する場合、押出し成形で換気口110を形成することが困難であるという問題がある。
このため、押出し成形の後に、換気口110を形成する工程が必要になり、軒先カバー部材106の製造に手間がかかる。
【０００６】
また、軒先カバー部材106はあご108に換気口110を設けるために、下から換気口110が見えてしまい、外観性の観点から改良の余地があった。
さらに、軒先カバー部材106の下部から外壁板104側に向けて張り出したあご108に換気口110を設けるために、あご108の強度を確保することが難しい。
【０００７】
一方、非特許文献１の軒天通気構造は、軒天107に形成する小さな孔111の断面積が幾つあれば所定の通気性が得られるかを計算し、この計算結果に基づいて施工する必要があり、施工に手間がかかる。
加えて、所定間隔で多数穿孔された軒天107は加工コストが高く、より施工コストを下げることができる軒天通気構造の実用化が望まれていた。
【０００８】
本発明は、前述した問題点に鑑みてなされたものであり、その目的は所望の通気性と良好な外観性とが得られるとともに施工コストを低減できる軒天通気構造を提供することにある。
【課題を解決するための手段】
【０００９】
前述した目的を達成するために、本発明は、軒天が通気胴縁を介して前記軒天野縁に支持され、当該軒天野縁が下地によって支持され、前記下地の外側にあご付き窯業系軒先カバー部材が取り付けられ、前記あご付き窯業系軒先カバー部材のあごの上面における先端から基端に連続するあご溝が形成され、前記あごの上面と前記軒天の下面とが接触し、前記あご付き窯業系軒先カバー部材の本体と前記軒天との間に隙間が設けられていることを特徴としている。
なお、本発明におけるあご付き窯業系軒先カバー部材とは、窯業系サイディングと同様の窯業系（セメント系）材料からなる部材をいう。
【００１０】
このように構成された軒天通気構造においては、あごの上面に先端から基端に連続するあご溝を形成し、あごの上面と軒天の下面とを接触することで、あご溝と軒天とで換気用の第１通路を形成できる。また、軒天を通気胴縁を介して軒天野縁に支持することで、軒天と軒天野縁との間に換気用の第２通路を形成することができる。さらに、本体と軒天との間に隙間を設けることで、換気用の第１、第２通路を連通できる。
【００１１】
これにより、換気用の第１通路から外気を取り入れ、取り入れた外気を、本体と軒天との間の隙間を介して換気用の第２通路に導く、この第２通路に導いた外気を屋根裏に導くことができ、屋根裏の通気性を確保できる。
従って、この軒天通気構造においては、あごの上面に先端から基端に連続するあご溝を形成し、かつ軒天を通気胴縁を介して軒天野縁に支持することで、換気用の通路を外部から見えないように隠すことが可能で、かつ既存の軒天の使用が可能になり、従来のような外部から通気口が見えるという外観性の問題や、軒天への複数の穿孔で施工コストがアップするという問題を解消できることになる。
【００１２】
また、本発明は、軒天が、その上面に接触する軒天野縁を介して下地によって支持され、前記下地の外側にあご付き窯業系軒先カバー部材が取り付けられ、前記あご付き窯業系軒先カバー部材のあごの上面における先端から基端に連続するあご溝が形成され、前記軒天の上面に、その一辺からそれに対向する他の辺に向かって連続する軒天溝が形成され、前記あごの上面と前記軒天の下面とが接触し、前記あご付き窯業系軒先カバー部材の本体と前記軒天との間に隙間が設けられていることを特徴としている。
この本発明においても、あご付き窯業系軒先カバー部材とは、窯業系サイディングと同様の窯業系（セメント系）材料からなる部材をいう。
【００１３】
このように構成された軒天通気構造においては、あごの上面に先端から基端に連続するあご溝を形成し、あごの上面と軒天の下面とを接触することで、あご溝と軒天とで換気用の第１通路を形成できる。また、軒天の上面に軒天溝を形成することで、軒天溝と軒天野縁との間に換気用の第２通路を形成することができる。さらに、本体と軒天との間に隙間を設けることで、換気用の第１、第２通路を連通できる。
【００１４】
これにより、換気用の第１通路から外気を取り入れ、取り入れた外気を、本体と軒天との間の隙間を介して換気用の第２通路に導く。この第２通路に導いた外気を屋根裏に導くことができ、屋根裏の通気性を確保できる。
従って、この軒天通気構造においては、あごの上面に先端から基端に連続するあご溝を形成し、かつ軒天の上面に軒天溝を形成することで、換気用の通路を外部から見えないように隠すことが可能になり、従来のような外部から通気口が見えるという外観性の問題を解消できることになる。
【発明の効果】
【００１５】
本発明によれば、従来のような通気用の通路を外部から見えるという問題や、軒天に複数の孔を穿孔する手間がかかるという問題を解消でき、これにより外観性を高めることや、施工コストを低減するという効果が得られる。
【発明を実施するための最良の形態】
【００１６】
以下、本発明に係る実施形態を図面に基づいて詳細に説明する。図１は本発明に係る軒天通気構造の第１実施形態を示す断面図、図２は本発明に係る第１実施形態の斜視図、図３（Ａ）は本発明に係る第１実施形態のあご溝を示す斜視図、図３（Ｂ）は本発明に係る第１実施形態のあご溝を示す正面図である。
【００１７】
図１に示すように、建物10は、柱11や間材（図示せず）に防水シート12を介してたて胴縁13が取り付けられ、このたて胴縁13に外壁板14が取り付けられ、外壁板14の上端部14Aから一定間隔離して軒先カバー部材用下地（下地）15が配置され、この下地15が垂木16の端部16Aに取り付けられ、下地15の外側にあご付き窯業系軒先カバー部材17が取り付けられ、垂木16に野地板18が取り付けられ、野地板18に屋根材（図示せず）が取り付けられ、外壁板14の上端部14Aとあご付き窯業系軒先カバー部材17との間に、本発明の第１実施形態である軒天通気構造20が設けられている。
なお、あご付き窯業系軒先カバー部材とは、窯業系サイディングと同様の窯業系（セメント系）材料からなる部材をいう。
【００１８】
図１〜図２に示すように、本発明の第１実施形態である軒天通気構造20は、下地15の下端部15Aと外壁板14の上端部14Aとの間に軒天野縁21が取り付けられ、この軒天野縁21に通気胴縁22を介して軒天23が支持され、あご付き窯業系軒先カバー部材17のあご25の上面における先端25Aから基端25Bに連続するあご溝26が複数本形成され、あご25の上面と軒天23の下面とが接触し、あご付き窯業系軒先カバー部材17の本体27と、軒天23の外側端23Aとの間に隙間28が設けられるように構成されている。
【００１９】
図３（Ａ），（Ｂ）に示すように、あご溝26は、突起31を一定間隔をおいて形成することで、隣接する突起31間に形成された溝である。
突起31は、側壁31Aを傾斜角（抜き勾配）αで傾斜させることにより、基部31Bから頂部31Cに向けて漸次先細状になるように形成されている。これにより、あご溝26を成形の際に成形型から容易に離型できる。
あご溝26は、あご25の肉厚２Ｌに対して、溝深さＬに設定され、突起31の幅Ｗ１に対して溝幅Ｗ２に設定されている。
【００２０】
具体的には、あご溝26は、あご25の肉厚２Ｌを20mmとすると、溝深さＬを10mmに設定し、突起31の幅Ｗ１を５mmとすると、溝幅Ｗ２を６mmに設定することが好ましい。
ここで、あご25の肉厚２Ｌに対して溝深さをＬに設定した理由は、溝深さがＬを超えるとあご25の強度を確保することが難しく、溝深さがＬ未満になると換気用の第１通路33を確保することが難しくなるからである。
なお、突起幅Ｗ１の５mmに対して、溝幅Ｗ２を６mmに設定する理由は、突起31に抜き勾配αを設けることで、突起31の幅Ｗ１が小さくなるとともに溝幅Ｗ２が大きくなるからである。
【００２１】
図２に示すように、通気胴縁22は、板厚Ｔ、幅Ｗ３の部材である。この通気胴縁22を軒天23と軒天野縁21との間に配置することで、軒天23と軒天野縁21との間に換気用の第２通路34を形成する。
【００２２】
前述した軒天通気構造20によれば、あご25の上面に先端25Aから基端25Bに連続するあご溝26を形成し、あご25の上面と軒天23の下面とを接触することで、あご溝26と軒天23とで換気用の第１通路33（図１参照）を形成できる。
また、軒天23を通気胴縁22を介して軒天野縁21に支持することで、軒天23と軒天野縁21との間に換気用の第２通路34を形成することができる。
さらに、本体17と軒天23との間に隙間28を設けることで、換気用の第１、第２通路33，34を隙間28を介して連通できる。
【００２３】
これにより、換気用の第１通路33から外気を取り入れ、取り入れた外気を、本体17と軒天23との間の隙間28を介して換気用の第２通路34に導く、この第２通路34に導いた外気を屋根裏35に矢印のように導くことができ、屋根裏35の通気性を確保できる。
この軒天通気構造20においては、あご25の上面に先端25Aから基端25Bに連続する複数のあご溝26を形成し、かつ軒天23を通気胴縁22を介して軒天野縁21に支持することで、換気用の通路33，34を外部から見えないように隠すことができ、かつ既存の軒天23を使用できる。
【００２４】
以下、第２〜第５実施形態について説明する。なお、第２〜第５実施形態の軒天通気構造40〜70において、第１実施形態の軒天通気構造20と同じ部材については同一符号を付して説明を省略する。
図４〜図５に示す本発明の第２実施形態である軒天通気構造40は、軒天43が、その上面に接触する軒天野縁21を介して下地15によって支持され、下地15の外側にあご付き窯業系軒先カバー部材17が取り付けられ、あご付き窯業系軒先カバー部材17のあご25の上面における先端25Aから基端25Bに連続するあご溝26が形成され、軒天43の上面に、その一辺からそれに対向する他の辺に向かって連続する軒天溝44が形成され、あご25の上面と軒天43の下面とが接触し、あご付き窯業系軒先カバー部材17の本体27と軒天43の外側端43Aとの間に隙間28が設けられている。
【００２５】
また、図４および図６に示す本発明の第２実施形態である軒天通気構造4Oは、外壁板14の上端部14Aと軒天43の内側端43Bとの間に隙間47が設けられている。
【００２６】
このように構成された軒天通気構造40においては、あご25の上面に先端25Aから基端25Bに連続するあご溝26を形成し、あご25の上面と軒天43の下面とを接触することで、あご溝26と軒天43とで換気用の第１通路33を形成できる。
また、軒天43の上面に軒天溝44を形成することで、軒天溝44と軒天野縁21との間に換気用の第２通路46（図４参照）を形成することができる。
さらに、本体27と軒天43との間に隙間28を設けることで、換気用の第１、第２通路33，46を隙間28を介して連通できる。
【００２７】
加えて、軒天43の上面に軒天溝44を形成することで、軒天43の内側端43Bの軒天溝44と軒天野縁21との間に換気用の第３通路48を形成することができ、さらに、外壁板14の上端部14Aと軒天43の内側端43Bとの間に隙間47を設けることで、この隙間47を介して換気用の第３通路48を外部に連通できる。
【００２８】
これにより、換気用の第１通路33から外気を取り入れ、取り入れた外気を、本体27と軒天43の外側端43Aとの間の隙間28を介して換気用の第２通路46に導く。この第２通路46に導いた外気を矢印のように屋根裏35に導くことができる。
加えて、外壁板14の上端部14Aと軒天43の内側端43Bとの間の隙間47から外気を取り入れ、取り入れた外気を換気用の第３通路48に導く。この第３通路48に導いた外気を矢印のように屋根裏35に導くことができる。
したがって、屋根裏35の通気性を確保して、屋根裏35内の空気を外気と円滑に換気できる。
【００２９】
第２実施形態の軒天通気構造40においては、あご25の上面に先端25Aから基端25Bに連続するあご溝26を形成し、かつ軒天43の上面に軒天溝44を形成することで、換気用の通路33，46を外部から見えないように隠すことができる。
【００３０】
図７〜図８に示す本発明の第３実施形態である軒天通気構造50は、外壁板54の外面に鉛直方向を向けて複数の外壁溝55を形成し、外壁板54の上端部54Aに軒天43の内側端43Aが当接されている。
外壁板54に外壁溝55を形成することで、外壁溝55と軒天野縁21の内側端21Aとで換気用の第４通路56ができる。
【００３１】
また、第３実施形態の軒天通気構造50は、その他の構成が第２実施形態の軒天通気構造40と同じである。
これにより、換気用の第３通路48および換気用の第４通路56の２種類の通路から外気を取り入れ、取り入れた外気を、外気を矢印のように屋根裏35に導くことができる。
【００３２】
外壁板54の外壁溝55を形成することで、第２実施形態の軒天通気構造40と比較して外気の取り入れる換気用の通路を、第３、４通路48，56の２種類の通路とすることで大きく確保できる。
したがって、屋根裏35の通気性をより良好に確保して、屋根裏35内の空気をより円滑に外気と換気できる。
さらに、第３実施形態の軒天通気構造50においては、第２実施形態の軒天通気構造20と同様の効果を得ることができる。
【００３３】
図９に示す本発明の第４実施形態である軒天通気構造60は、外壁板54の外面に鉛直方向を向けて複数の外壁溝55を形成し、外壁板54の上端部54Aに軒天23の内側端23Bが当接されている点で第３実施形態の軒天通気構造50と同じであるが、軒天23の上面に軒天溝44（図７、図８参照）を備えていない点で第３実施形態の軒天通気構造50と異なる。
第４実施形態の軒天通気構造60によれば、軒天23の上面に軒天溝44を設けたので、既存の軒天を使用できる。
さらに、第４実施形態の軒天通気構造60によれば、第３実施形態の軒天通気構造50と同様の効果を得ることができる。
【００３４】
図１０に示す本発明の第５実施形態である軒天通気構造70は、外壁板74の外面にパターン75を形成することで、外壁板74の外面に溝76を形成した点で第４実施形態の軒天通気構造60と異なるだけで、その他の構成は第４実施形態の軒天通気構造60と同じである。
第５実施形態の軒天通気構造70によれば、第４実施形態の軒天通気構造60と同様に、軒天23の上面に軒天溝44（図７、図８参照）を設けたので、既存の軒天を使用できる。
さらに、第５実施形態の軒天通気構造70によれば、第４実施形態の軒天通気構造60と同様の効果を得ることができる。
【００３５】
なお、本発明の軒天通気構造20，40，50，60，70は、前述した各実施形態に限定されるものでなく、適宜な変形，改良等が可能である。
その他、前述した各実施形態において例示した軒先カバー部材用下地15、あご軒先カバー部材17、軒天野縁21、通気胴縁22、軒天23，43、あご25、あご溝26、軒天溝44等の材質，形状，寸法，形態，数，配置個所等は本発明を達成できるものであれば任意であり、限定されない。
【図面の簡単な説明】
【００３６】
【図１】本発明に係る軒天通気構造の第１実施形態を示す断面図である。
【図２】本発明に係る第１実施形態の斜視図である。
【図３】（Ａ）は本発明に係る第１実施形態のあご溝を示す斜視図、（Ｂ）は本発明に係る第１実施形態のあご溝を示す正面図である。
【図４】本発明に係る軒天通気構造の第２実施形態を示す断面図である。
【図５】本発明に係る第２実施形態の軒先側の構成を示す斜視図である。
【図６】本発明に係る第２実施形態のたて胴縁側の構成を示す斜視図である。
【図７】本発明に係る軒天通気構造の第３実施形態を示す断面図である。
【図８】本発明に係る第３実施形態のたて胴縁側の構成を示す斜視図である。
【図９】本発明に係る第４実施形態のたて胴縁側の構成を示す斜視図である。
【図１０】本発明に係る第５実施形態のたて胴縁側の構成を示す斜視図である。
【図１１】従来の建物の構造を説明する断面図である。
【図１２】従来の軒天通気構造を構成するあご付き窯業系軒先カバー部材を示す斜視図である。
【図１３】従来のもう一つの軒天通気構造を構成する軒天を示す斜視図である。
【符号の説明】
【００３７】
15  軒先カバー部材用下地（下地）
17  あご付き窯業系軒先カバー部材
20，40，50，60，70  軒天通気構造
21  軒天野縁
22  通気胴縁
23，43  軒天
25  あご
25A  あごの上面における先端
25B  あごの上面における基端
26  あご溝
27  本体
28  あご付き窯業系軒先カバー部材の本体と軒天との間に隙間
44  軒天溝
【図１】
2005061103.tif 000003
【図２】
2005061103.tif 000004
【図３】
2005061103.tif 000005
【図４】
2005061103.tif 000006
【図５】
2005061103.tif 000007
【図６】
2005061103.tif 000008
【図７】
2005061103.tif 000009
【図８】
2005061103.tif 000010
【図９】
2005061103.tif 000011
【図１０】
2005061103.tif 000012
【図１１】
2005061103.tif 000013
【図１２】
2005061103.tif 000014
【図１３】
2005061103.tif 000015